【手続補正書】
【提出日】平成17年9月2日(2005.9.2)
【手続補正１】
【補正対象書類名】明細書
【補正対象項目名】特許請求の範囲
【補正方法】変更
【補正の内容】
【特許請求の範囲】
【請求項１】  記録層に、液体と接触した状態で加熱・冷却すると液体との後退接触角が低下し、空気中で加熱すると後退接触角の値が回復する性質を有する部材と、ポリオルガノシロキサン構造を有する部材とを独立分散した状態で含有したことを特徴とする記録体。
【請求項２】  記録層に、液体と接触した状態で加熱・冷却すると液体との後退接触角が低下し、空気中で加熱すると後退接触角の値が回復する性質を有する部材と、ポリオルガノシロキサン構造を有する部材とを独立分散した状態で含有し、且つ、これら部材を固定するバインダー樹脂を含有したことを特徴とする記録体。
【請求項３】  記録層に、液体と接触した状態で加熱・冷却すると液体との後退接触角が低下し、空気中で加熱すると後退接触角の値が回復する性質を有する部材と、ポリオルガノシロキサン構造を有する部材とを独立分散した状態で含有し、且つ、これら部材を固定する耐油性弾性バインダー樹脂を含有したことを特徴とする記録体。
【請求項４】  記録層に、液体と接触した状態で加熱・冷却すると液体との後退接触角が低下し、空気中で加熱すると後退接触角の値が回復する性質を有する部材と、ポリオルガノシロキサン構造を有するオイル状部材とを分散した状態で含有してなり、該オイル状部材は未架橋のオルガノシロキサンが記録層中に分散した後に架橋されたことを特徴とする記録体。
【請求項５】  記録層に、液体と接触した状態で加熱・冷却すると液体との後退接触角が低下し、空気中で加熱すると後退接触角の値が回復する性質を有する部材と、ポリオルガノシロキサン構造を有する部材とを分散した状態で含有してなり、該ポリオルガノシロキサン構造を有する部材は予め架橋したポリオルガノシロキサン構造を有する微粒子状部材が記録層中に分散した後に微粒子どうしが架橋されたことを特徴とする記録体。
【請求項６】  請求項１〜５のいずれかに記載の記録体において、前記液体と接触した状態で加熱・冷却すると液体との後退接触角が低下し、空気中で加熱すると後退接触角の値が回復する性質を有する部材と、前記ポリオルガノシロキサン構造を有する部材との固形分重量比率が４／６〜６／４であることを特徴とする記録体。
【請求項７】  基体上に、液体と接触した状態で加熱・冷却すると液体との後退接触角が低下し、空気中で加熱すると後退接触角の値が回復する性質を有する部材と、ポリオルガノシロキサン構造を有する部材とを独立分散した状態で含有する記録層を設けた記録体を用い、
該記録体の記録層を液体と接触した状態で加熱し、冷却して該記録層全面をインク付着性状態とし、全面がインク付着性状態となった記録層に、空気中で非画像部にあたる箇所を加熱して潜像を形成し、次いで、該記録層の画像部にインクを供給して画像を得ることを特徴とする画像形成方法。
【請求項８】  請求項７記載の画像形成方法において、前記接触液体の粘度が１０Ｐａ・ｓ〜３００Ｐａ・ｓであることを特徴とする画像形成方法。
【請求項９】  請求項７記載の画像形成方法において、前記液体と接触した状態で加熱・冷却すると液体との後退接触角が低下し、空気中で加熱すると後退接触角の値が回復する性質を有する部材と、前記ポリオルガノシロキサン構造を有する部材との固形分重量比率が４／６〜６／４であることを特徴とする画像形成方法。
【手続補正２】
【補正対象書類名】明細書
【補正対象項目名】０００１
【補正方法】変更
【補正の内容】
【０００１】
【発明の属する技術分野】本発明は記録体及び画像形成方法に関し、詳しくは、表面記録層に液体付着性領域と液体反撥性領域とが形成され、これに記録剤（例えば液体インクのように溶液又は分散液の状態で用いる）を供給して画像を形成し、これを普通紙等へ転写して画像を得るのに適した記録体及び画像形成方法に関する。
【手続補正３】
【補正対象書類名】明細書
【補正対象項目名】０００４
【補正方法】変更
【補正の内容】
【０００４】
【発明が解決しようとする課題】本発明の目的は、インクに対して地汚れしにくく、且つ、画像部へのインク付着性が良好に保たれる記録体、及び該記録体を用いる画像形成方法を提供することである。
【手続補正４】
【補正対象書類名】明細書
【補正対象項目名】０００５
【補正方法】変更
【補正の内容】
【０００５】
【課題を解決するための手段】本発明によれば、上記課題は下記（１）〜（９）によって達成される。
（１）記録層に、液体と接触した状態で加熱・冷却すると液体との後退接触角が低下し、空気中で加熱すると後退接触角の値が回復する性質を有する部材と、ポリオルガノシロキサン構造を有する部材とを独立分散した状態で含有したことを特徴とする記録体。
【手続補正５】
【補正対象書類名】明細書
【補正対象項目名】００１０
【補正方法】変更
【補正の内容】
【００１０】
（６）上記（１）〜（５）のいずれかの記載の記録体において、前記部材の固形分重量比率が４／６〜６／４であることを特徴とする記録体。
（７）基体上に、液体と接触した状態で加熱・冷却すると液体との後退接触角が低下し、空気中で加熱すると後退接触角の値が回復する性質を有する部材と、ポリオルガノシロキサン構造を有する部材とを独立分散した状態で含有する記録層を設けた記録体を用い、該記録体の記録層を液体と接触した状態で加熱し、冷却して該記録層全面をインク付着性状態とし、全面がインク付着性状態となった記録層に、空気中で非画像部にあたる箇所を加熱して潜像を形成し、次いで、該記録層の画像部にインクを供給して画像を得ることを特徴とする画像形成方法。
（８）上記（７）記載の画像形成方法において、前記接触液体の粘度が１０Ｐａ・ｓ〜３００Ｐａ・ｓであることを特徴とする画像形成方法。
（９）請求項７記載の画像形成方法において、前記液体と接触した状態で加熱・冷却すると液体との後退接触角が低下し、空気中で加熱すると後退接触角の値が回復する性質を有する部材と、前記ポリオルガノシロキサン構造を有する部材との固形分重量比率が４／６〜６／４であることを特徴とする画像形成方法。
【手続補正６】
【補正対象書類名】明細書
【補正対象項目名】００４４
【補正方法】変更
【補正の内容】
【００４４】
上記（１）〜（５）においては、Ｆ材とＳ材の比率が画像部へのインク付着性と地肌のインク離型性の両立を左右する。本発明者が鋭意検討した結果、上記（６）のように、Ｆ材とＳ材との固形分重量比率が4/6〜6/4であることを特徴とする記録体が望ましいことが分かった。上記（７）においては、実質上記（１）の記録体を用いて画像形成を行うので、上記（８）のように、接触液体の粘度が１０〜３００Ｐａ・ｓであるのが望ましく、また、上記（９）のように、Ｆ材とＳ材との固形分重量比率が4/6〜6/4であることを特徴とする記録体の使用が望ましい。
【手続補正７】
【補正対象書類名】明細書
【補正対象項目名】００６１
【補正方法】変更
【補正の内容】
【００６１】
【発明の効果】請求項１に係る発明によれば、従来よりも地肌汚れにつよくなるため、画像品質が向上する。請求項２に係る発明によれば、請求項１に比べ、記録層被膜の機械的強度が向上するため、耐刷性がよくなる。請求項３に係る発明によれば、油性インクに対する耐油性が向上し、耐刷性が向上する。請求項４に係る発明によれば、シリコーンをオイル状とするためコート時の分散性に優れ、所望の記録体作成の歩留まりが向上する。請求項５に係る発明によれば、シリコーンを固形状微粒子とするため、コート時の分散性が良く、かつ、熱キュア時間が早いため、歩留まり良く、かつ、製造時間の短縮が図れる。請求項６に係る発明によれば、Ｆ材とＳ材の最適な配合比を提供するため、画像品質の安定化が図れる。請求項７〜９に係る発明によれば、画像濃度が高く且つ地肌汚れが殆んどない画像が得られる。